(57)【要約】【課題】  装置本体の外表面に測定電極を有する携帯型心電計を外部端末に接続した際に想定される感電事故の発生を未然に防止する。【解決手段】  クレードル３００は、携帯型心電計１００の装置本体１１０を受け入れ保持する保持部３２０と、外部端末に電気的に接続され、保持部３２０に形態型心電計１００の装置本体１１０が装着された状態において、携帯型心電計１００の装置本体１１０に設けられた出力端子に接続される接続端子と、保持部３２０に形態型心電計１００の装置本体１１０が装着された状態において、形態型心電計１００の装置本体１１０の外表面に設けられた負電極１２１、正電極１２２および不関電極１２３を覆い隠す遮蔽部（右側壁３１５および左側壁３１６）とを備える。【選択図】        図１４
2005211388.tif 000002
【特許請求の範囲】
【請求項１】
生体情報測定装置を外部端末に接続するための生体情報測定装置用接続ユニットであって、
生体情報測定装置の装置本体を受け入れ保持する保持部と、
外部端末に電気的に接続され、前記保持部に生体情報測定装置の装置本体が装着された状態において、生体情報測定装置の装置本体に設けられた出力端子に接続される接続端子と、
前記保持部に生体情報測定装置の装置本体が装着された状態において、生体情報測定装置の装置本体の外表面に設けられた測定電極を覆い隠す遮蔽部とを備える、生体情報測定装置用接続ユニット。
【発明の詳細な説明】
【技術分野】
【０００１】
本発明は、生体情報測定装置を外部端末に接続するために用いられる生体情報測定装置用接続ユニットに関し、特に、生体情報測定装置を保持しつつ生体情報測定装置と外部端末との電気的な接続を実現する生体情報測定装置用クレードルに関する。
【背景技術】
【０００２】
生体に接触させるための測定電極を有し、この測定電極にて検知される生体電気信号を処理することによって生体情報を得る生体情報測定装置としては、心電計や体脂肪計などが広く知られている。これら生体情報測定装置においては、従来より、外部端末への接続の要請が強くある。
【０００３】
心電計においては、採取した心電データの解析や保存、紙媒体へのプリントアウト、遠隔地への心電データの送信等の要請が非常に強く、パーソナルコンピュータ（以下、ＰＣと略す）やプリンタ、通信手段等への接続を目的としたインターフェイスを装置本体に設けることが要求されている。近年普及しつつあるホルター式心電計や携帯型心電計においては特にこの要請が強く、家庭において採取した心電データを専門医に提示するために、外部端末への接続が強く要求されている。
【０００４】
心電計においてこのような外部端末への接続を実現するためには、心電計の装置本体と外部端末との間で信号の授受を行なうために、心電計の装置本体に何らかのインターフェイスを設けることが必要になる。このインターフェイスとしては、赤外線通信や光ファイバ通信、磁気・電磁結合など種々のインターフェイスを採用することが可能である（たとえば、特許文献１〜３参照）。しかしながら、これらインターフェイスを採用した場合には、装置構成が複雑化するばかりでなく、コストおよび性能の面で課題が残るという問題がある。これに対し、低コストで製作することが可能であり、かつ確実な信号の授受が実現される接続方法として、ＵＳＢ（Universal Serial Bus）やＲＳ−２３２Ｃ等のシリアルバスを利用した有線接続がある。
【０００５】
たとえば、ＵＳＢを利用した有線接続においては、心電計の装置本体に出力端子を設けるとともに外部端末の装置本体に入力端子を設け、これら出力端子および入力端子間をＵＳＢ接続ケーブルによって接続することで心電計の装置本体と外部端末との接続が実現される。これにより、心電計の装置本体と外部端末との間で信号の授受が確実にかつ安価に実現されるようになる。
【０００６】
しかしながら、このような接続ケーブルを用いた有線接続を採用した場合には、外部端末に入力される電源電圧がサージとなって接続ケーブルを介して心電計の装置本体内部に設けられた処理回路に混入する危険性がある。被験者が測定電極に触れた状態において、このような電源電圧の混入が生じた場合には、被験者が測定電極を介して感電するおそれもある。それゆえ、被験者の安全を考慮した場合には、このような感電事故が発生しないように、何らかの感電対策を施しておくことが必要である。
【０００７】
通常行なわれる感電対策としては、フォトカプラを用いたものが知られている（たとえば、特許文献４〜６参照）。フォトカプラは、電気的に絶縁された２つの電気回路を光によって結合するものであり、通常、発光ダイオードとフォトトランジスタとの組合せによって実現される。フォトカプラを用いた場合には、外部端末の内部回路と心電計の測定電極とを電気的に絶縁することが可能になるため、感電事故の発生が未然に防止されるようになる。
【０００８】
しかしながら、心電計においてフォトカプラを用いて感電対策を行なうためには、フォトカプラを複数個（２〜４個程度）心電計の装置本体に搭載させることが必要になる。フォトカプラは比較的高価な素子であり、これを複数個搭載させることは製造コストの増大を招くとともに、装置の大型化も避けられなくなる。
【０００９】
これに対し、測定電極を装置本体から接続ケーブルを用いて外部に引き出した構成を有する心電計においては、心電計の装置本体と測定電極とを接続するための接続ケーブルと、心電計の装置本体と外部端末とを接続するための接続ケーブルとを同時に心電計の装置本体に接続できないように構成することにより、感電対策をとることも可能である（たとえば、特許文献７〜９参照）。このように構成すれば、心電計の装置本体が外部端末に接続された状態においては必ず心電計の装置本体内部に設けられた処理回路と測定電極とが電気的に絶縁されるようになるため、上述のような感電事故は確実に防止されるようになる。
【００１０】
しかしながら、上記感電対策は、測定電極が接続ケーブルによって心電計の装置本体外部に引き出された構成を有する心電計においては非常に有効であるものの、測定電極を装置本体の外表面に備えた構成を有する心電計（主に携帯型心電計に多い）の場合には、このような感電対策を採用することはできず、他の感電対策を講じる必要がある。
【特許文献１】特開平９−２２４９１７号公報
【特許文献２】特公平３−４７０８９号公報
【特許文献３】特開平５−７５６０号公報
【特許文献４】実開平５−９５０７号公報
【特許文献５】特開昭６１−２３２８３２号公報
【特許文献６】特公平３−２８９２５号公報
【特許文献７】実開平５−９５０８号公報
【特許文献８】実開平５−９５０９号公報
【特許文献９】特開平６−１９７８７５号公報
【発明の開示】
【発明が解決しようとする課題】
【００１１】
本発明は、上述の問題点に鑑みてなされたものであり、本発明の目的とするところは、装置本体の外表面に測定電極を有する生体情報測定装置を外部端末に接続した際に想定される感電事故の発生を未然に防止することにある。
【課題を解決するための手段】
【００１２】
本発明に基づく生体情報測定装置用接続ユニットは、生体情報測定装置を外部端末に接続するためのものであって、生体情報測定装置の装置本体を受け入れ保持する保持部と、外部端末に電気的に接続され、上記保持部に生体情報測定装置の装置本体が装着された状態において、生体情報測定装置の装置本体に設けられた出力端子に接続される接続端子と、上記保持部に生体情報測定装置の装置本体が装着された状態において、生体情報測定装置の装置本体の外表面に設けられた測定電極を覆い隠す遮蔽部とを備える。
【発明の効果】
【００１３】
本発明によれば、装置本体の外表面に測定電極を有する生体情報測定装置を外部端末に接続した際に想定される感電事故の発生が未然にかつ確実に防止できるようになる。
【発明を実施するための最良の形態】
【００１４】
本発明者は、生体情報測定装置と外部端末とを接続する生体情報測定装置用接続ユニットとしてクレードルを採用することを着想し、これにより、接続作業の利便性が飛躍的に向上するとともに、外部端末に接続した状態において生体情報測定装置が安定的に保持されることを見出した。ここで、クレードルとは、携帯端末等を支えたりあるいは拘束するための枠組や架台のことを意味し、昨今のデジタルカメラや携帯電話機等に代表される携帯端末の普及に伴って急速に普及した携帯端末用接続ユニットを指すものである。通常、クレードルは、携帯端末と外部端末との間の電気的な接続を中継するとともに携帯端末を机等の上に安定的に載置するための構造を有しており、卓上ホルダと呼ばれることもある。
【００１５】
しかしながら、このようなクレードルを生体情報測定装置用接続ユニットとして採用した場合にも、何ら対策を講じていない場合には、生体情報測定装置の内部に設けられた処理回路に外部端末の電源回路からサージが印加するおそれがある。生体情報測定装置の処理回路にサージが印加した際にユーザが生体情報測定装置の操作のために生体情報測定装置の装置本体に触れていた場合には、測定電極を介してユーザが感電する危険性もある。そこで、本発明者は、クレードルに感電防止構造を具備させることによりこの問題の解決を図ることを想起し、本発明を完成させるに至った。
【００１６】
以下、本発明の一実施の形態について、図を参照して詳細に説明する。なお、以下に示す実施の形態においては、生体情報測定装置として、持ち運びが可能で心電波形を容易に計測・記憶することができる携帯型心電計を例示して説明を行なう。
【００１７】
まず、本実施の形態において用いられる携帯型心電計の外観構造について説明する。図１は、本発明の実施の形態において用いられる携帯型心電計の概略斜視図であり、図２は、図１に示す携帯型心電計の正面図である。また、図３は、図１に示す携帯型心電計において、蓋体を閉状態とした場合の上面図であり、図４は、下面図である。また、図５は、図１に示す携帯型心電計の右側面図であり、図６は、左側面図である。
【００１８】
図１ないし図６に示すように、本実施の形態において用いられる携帯型心電計１００は、取り扱い性に優れたものとなるように、片手で保持することが可能な大きさおよび重さにまで小型軽量化されている。携帯型心電計１００は、扁平かつ細長の略直方体形状の外形を有する装置本体１１０を備えており、その外表面（正面１１１、背面１１２、上面１１３、下面１１４、右側面１１５および左側面１１６）に表示部や操作部、測定電極等が配置されている。
【００１９】
装置本体１１０の内部には、測定電極によって検知された生体電気信号を処理するための処理回路１５０が内蔵されている（図１８参照）。この処理回路１５０としては、たとえば、測定電極によって検知された生体電気信号を増幅するアンプ回路１５１や、測定電極によって検知された生体電気信号からノイズ成分を除去するフィルタ回路１５２、アナログ信号をデジタル信号に変換するＡ／Ｄコンバータ１５３、各種演算を行なうＣＰＵ（central processing unit）１５４、一時的に心電情報を記憶するメモリ１５５等が該当する。
【００２０】
図１および図２に示すように、装置本体１１０の正面１１１の長手方向（図中矢印Ａ方向）の一方端寄りには、測定を開始させるための操作ボタンである測定ボタン１４２が設けられている。また、装置本体１１０の正面１１１の他方端寄りには、表示部１４８が設けられている。この表示部１４８は、たとえば液晶ディスプレイ等によって構成され、測定結果等を表示する部位である。測定結果は、たとえば図１に示すように、心電波形や数値データとして表示される。
【００２１】
図１および図３に示すように、装置本体１１０の上面１１３の所定位置には、電源ボタン１４１が配置されている。電源ボタン１４１は、携帯型心電計１００のＯＮ／ＯＦＦを操作する操作ボタンである。
【００２２】
図１および図４に示すように、装置本体１１０の下面１１４の所定位置には、各種の操作ボタンが配置されている。図示する携帯型心電計１００においては、設定ボタン１４３、表示ボタン１４４、左スクロールボタン１４５および右スクロールボタン１４６が配置されている。ここで、設定ボタン１４３は、携帯型心電計１００の各種設定を行なうための操作ボタンであり、表示ボタン１４４は、測定結果を表示部１４８に表示させるために用いる操作ボタンである。そして左スクロールボタン１４５および右スクロールボタン１４６は、表示部１４８に表示される測定結果のグラフやガイド情報等をスクロールして表示させるための操作ボタンである。
【００２３】
また、図４に示すように、装置本体１１０の下面１１４の所定位置には、凹部１１４ａが設けられており、この凹部１１４ａの底面には、外部端末に接続するための出力端子１３１が設けられている。この出力端子１３１は、装置本体１１０の内部に設けられたメモリに一時的に記憶された心電情報を外部端末に対して出力するために用いられる端子であり、後述するクレードル３００の接続端子３３１に接続される。本実施の形態における携帯型心電計１００は、クレードル３００を介して外部端末と接続することを特徴としている。携帯型心電計１００がクレードル３００を介さずに外部端末と直接接続されることを防ぐために、装置本体１１０に設けられた出力端子１３１は、たとえばＵＳＢやＲＳ−２３２Ｃ等の接続に汎用的に用いられるコネクタ形状とは異なる形状の端子が用いられる。
【００２４】
図１および図５に示すように、装置本体１１０の長手方向の一方端に位置する右側面１１５には、一対の測定電極のうちの一方の電極である負電極１２１と、身体の電位変化の基準となる電位を導出するための不関電極１２３とが配置されている。この右側面１１５は、後述する計測姿勢を被験者がとった際に被験者の右手の人差し指がフィットするように滑らかに湾曲した形状となっている。さらに、この右側面１１５には、上下方向に向かって延びる凹部１１５ａが形成されている。この凹部１１５ａは、被験者の右手の人差し指を受入れる形状となっている。
上述の負電極１２１および不関電極１２３は、導電性部材にて形成されており、装置本体１１０の内部に設けられた処理回路１５０に電気的に接続されている。また、負電極１２１および不関電極１２３は、右側面１１５に設けられた凹部１１５ａ内において、その表面が装置本体１１０の外表面に露出した状態となるように配置されている。なお、負電極１２１は、右側面１１５の上面１１３寄りに位置しており、不関電極１２３は、右側面１１５の下面１１４寄りに位置している。
【００２５】
図６に示すように、装置本体１１０の長手方向の他方端に位置する左側面１１６には、一対の測定電極のうちの他方の電極である正電極１２２が配置されている。この正電極１２２は、導電性部材にて形成されており、装置本体１１０の内部に設けられた処理回路１５０に電気的に接続されている。
【００２６】
次に、上述の構成の携帯型心電計１００を用いて心電波形を測定する際に、被験者がとるべき測定姿勢について説明する。図７は、この測定姿勢を示す斜視図であり、図８は、この測定姿勢を上方から見た場合の図である。
【００２７】
図７および図８に示すように、計測時において被験者２００は、携帯型心電計１００の装置本体１１０の一方端寄りを右手２１０で把持しつつ、装置本体１１０の他方端に位置する左側面１１６に設けられた正電極１２２を胸部２５０の左側下部に位置する第５肋間前腋窩線上の皮膚に直接接触させる。そして、右手２１０の親指２１１にて装置本体１１０の正面１１１に設けられた測定ボタン１４２を押下する。そして、この状態を数十秒程度維持しつつ心電波形を計測する。
【００２８】
このときの携帯型心電計１００の右手２１０による把持状態について説明する。図９は、本実施の形態において用いられる携帯型心電計の右手による把持状態を示す図である。
【００２９】
図９に示すように、本測定姿勢においては、被験者２００は携帯型心電計１００の装置本体１１０の正面１１１が上方を向くように、装置本体１１０の長手方向の一方端寄りを右手２１０で把持する。このとき、装置本体１１０の右側面１１５を右手２１０の人差し指２１２にて覆うとともに、右手２１０の親指２１１を装置本体１１０の正面１１１に押し当てかつ右手２１０の中指を装置本体１１０の背面に押し当てて、装置本体１１０を挟み込むように把持する。この状態において、右手２１０の人差し指２１２は、湾曲した右側面１１５に沿うように軽く曲げ、右側面１１５に設けられた凹部１１５ａ内に挿入し、凹部１１５ａ内に設けられた負電極１２１および不関電極１２３に接触した状態とする。
【００３０】
以上の測定姿勢をとることにより、携帯型心電計１００の装置本体１１０の右側面１１５に位置する負電極１２１および不関電極１２３が被験者２００の右手２１０の人差し指２１２に接触し、装置本体１１０の左側面１１６に位置する正電極１２２が被験者２００の胸部２５０に接触した状態となる。これにより、負電極１２１に接触した右手２１０、胸部２５０に非接触の前腕２２０、同じく胸部２５０に非接触の上腕２３０および右肩２４０を介して正電極１２２が取付けられた胸部２５０の順で被験者の身体に測定回路が構成されるようになる。
【００３１】
以上により、心筋が活動することによって生ずる活動電位が測定電極である負電極１２１および正電極１２２間に生ずる電位差となって検知され、携帯型心電計１００の内部に設けられた処理回路１５０によって処理されることにより、心電波形を含む心電情報を得ることが可能になる。なお、このようにして得られた心電情報は、一時的に携帯型心電計１００の内部に設けられたメモリ１５５によって記憶され、必要に応じて外部端末に出力されるようになる。
【００３２】
次に、本実施の形態におけるクレードルの構造について詳細に説明する。図１０は、本実施の形態におけるクレードルの概略斜視図であり、図１１は、図１０に示すクレードルの正面図である。また、図１２は、図１０に示すクレードルの上面図であり、図１３は、右側面図である。
【００３３】
図１０ないし図１３に示すように、クレードル３００は、一面に開口を有する箱形状の枠体３１０を備えている。枠体３１０は、机等の載置面上に設置される底部３１４と、この底部３１４の四方から立設する前壁３１１、後壁３１２、右側壁３１５および左側壁３１６とを有しており、携帯型心電計１００の装置本体１１０を受け入れて保持するための保持部３２０を内部に有している。上述の開口は、携帯型心電計１００をクレードル３００に装着するために設けられたものであり、枠体３１０の上部に位置している。この枠体３１０は、たとえば絶縁性の樹脂材料を用いた成形品にて形成される。
【００３４】
図１０および図１１に示すように、枠体３１０の前壁３１１の所定位置には、切り欠き部３１１ａが設けられている。この切り欠き部３１１ａは、携帯型心電計１００がクレードル３００に装着された状態において、携帯型心電計１００の外表面に設けられた表示部１４８を露出させるための窓である。
【００３５】
図１１ないし図１３に示すように、枠体３１０の底部３１４の上面の所定位置には、凸部３１４ａが設けられている。この凸部３１４ａは、上述の携帯型心電計１００の装置本体１１０の下面１１４に設けられた凹部１１４ａに嵌合するものである。また、凸部３１４ａの頂面には、接続端子３３１が設けられている。この接続端子３３１は、携帯型心電計１００をクレードル３００に装着させた状態において、携帯型心電計１００の装置本体１１０に設けられた出力端子１３１に接続される端子であり、前述したようにたとえばＵＳＢやＲＳ−２３２Ｃ等の接続に汎用的に用いられるコネクタ形状とは異なる形状の端子が用いられる。
【００３６】
図１２および図１３に示すように、枠体３１０の後壁３１２の所定位置からは、接続ケーブル３３０が枠体３１０の外側に向かって引き出されている。この接続ケーブル３３０は、枠体３１０の内部に形成された中継回路（図示せず）を介して上述の接続端子３３１に電気的に接続されたケーブルであり、他端が外部端末の入力端子に接続されるものである。
【００３７】
本実施の形態におけるクレードル３００は、上述の携帯型心電計１００の装置本体１１０を保持部３２０に受け入れることにより、外部端末との間の電気的な接続を中継するものである。すなわち、携帯型心電計１００をクレードル３００に装着させることにより、携帯型心電計１００の装置本体１１０の内部に設けられたメモリ１５５に一時的に記憶された心電情報を外部端末に対して出力することが可能になる。
【００３８】
以下においては、本実施の形態におけるクレードル３００に携帯型心電計１００を装着させる装着手順について説明するとともに、装着後におけるクレードル３００および携帯型心電計１００の構造について詳細に説明する。図１４は、本実施の形態におけるクレードルに携帯型心電計を装着させる装着手順を説明するための概略斜視図であり、図１５は、装着後における正面図である。また、図１６は、装着後における右側面図であり、図１７は、装着後における左側面図である。
【００３９】
図１４に示すように、携帯型心電計１００をクレードル３００に装着させる場合には、予めクレードル３００を机等の載置面上に載置し、載置したクレードル３００の上部に形成された開口を介して携帯型心電計１００の装置本体１１０を保持部３２０内へと差し込む（図中矢印Ｂ方向）。このとき、携帯型心電計１００の装置本体１１０は、クレードル３００の枠体３１０の前壁３１１、後壁３１２、右側壁３１５および左側壁３１６よって案内され、保持部３２０内へと位置決めされて挿入される。そして、枠体３１０の底部３１４の上面に携帯型心電計１００の下面１１４が当接することにより、クレードル３００への携帯型心電計１００の装着が完了する。
【００４０】
上述の装着手順を経てクレードル３００に携帯型心電計１００が装着された状態においては、携帯型心電計１００が安定的にクレードル３００によって保持される。このため、操作中に誤って携帯型心電計１００に接触することによって携帯型心電計１００が転倒したり、携帯型心電計１００が机等の載置面上から床面等に落下することが防止されるようになる。その結果、携帯型心電計１００の破損が未然に防止されるようになる。
【００４１】
上述のように、クレードル３００の底部３１４の上面に設けられた凸部３１４ａは、携帯型心電計１００がクレードル３００に装着された状態において、携帯型心電計１００の下面１１４に設けられた凹部１１４ａに対応する位置に位置決めされて形成されている。このため、上述の装着動作を行なうことにより、これら凸部３１４ａと凹部１１４ａとがスムーズに嵌合するようになる。この結果、携帯型心電計１００の下面１１４に設けられた出力端子１３１とクレードル３００の底部３１４の上面に設けられた接続端子３３１とが、装着状態において確実に接続されるようになる。
【００４２】
また、図１５に示すように、クレードル３００に携帯型心電計１００が装着された状態においては、携帯型心電計１００の装置本体１１０の正面１１１に設けられた表示部１４８が、クレードル３００の枠体３１０の前壁３１１に形成された切り欠き部３１１ａを介して露出した状態となる。このため、外部端末との接続中においても表示部を視認しつつ操作することが可能になる。
【００４３】
また、図１６および図１７に示すように、クレードル３００に携帯型心電計１００が装着された状態においては、携帯型心電計１００の右側面１１５に設けられた負電極１２１および不関電極１２３が、クレードル３００の右側壁３１５によって覆われ、携帯型心電計１００の左側面１１６に設けられた正電極１２２がクレードル３００の左側壁３１６によって覆われた状態となる。すなわち、クレードル３００の右側壁３１５および左側壁３１６が、携帯型心電計１００の外表面に設けられた負電極１２１、正電極１２２および不関電極１２３を覆い隠す遮蔽部として機能することになり、装着状態においてユーザがこれら電極に直接触れることができなくなる。
【００４４】
次に、本実施の形態において用いられる携帯型心電計１００を外部端末に接続し、メモリ１５５に記憶された心電情報を外部端末に出力する際のシステム構成について説明する。図１８は、本実施の形態における携帯型心電計を外部端末に接続した状態を示すブロック図である。なお、図１８においては、携帯型心電計１００の装置本体１１０に接続する外部端末として、ＰＣ４００を採用した場合を例示している。
【００４５】
携帯型心電計１００を外部端末であるＰＣ４００に接続する場合には、クレードル３００の保持部３２０に携帯型心電計１００の装置本体１１０を装着する。これにより、携帯型心電計１００の装置本体１１０とＰＣ４００とがクレードル３００に設けられた中継回路および接続ケーブル３３０を介して接続された状態となり、携帯型心電計１００の装置本体１１０の内部に設けられた処理回路１５０と、ＰＣ４００の内部回路（ＣＰＵ４５１、メモリ４５２等）とが電気的に接続された状態となる。この状態とすることにより、携帯型心電計１００の装置本体１１０の内部に設けられた処理回路１５０とＰＣ４００の内部に設けられた内部回路との間で信号の授受が可能になり、携帯型心電計１００のメモリ１５５に記憶された心電情報をＰＣ４００のメモリ４５２に転送することが可能になる。
【００４６】
以上において説明したように、本実施の形態におけるクレードル３００は、携帯型心電計１００の装置本体１１０を受け入れ保持する保持部３２０と、外部端末であるＰＣ４００に電気的に接続され、保持部３２０に携帯型心電計１００の装置本体１１０が装着された状態において、携帯型心電計１００の装置本体１１０に設けられた出力端子１３１に接続される接続端子３３１と、保持部３２０に携帯型心電計１００の装置本体１１０が装着された状態において、携帯型心電計１００の装置本体１１０の外表面に設けられた負電極１２１、正電極１２２および不関電極１２３を覆い隠す遮蔽部（右側壁３１５および左側壁３１６に相当）とを備えている。
【００４７】
このため、携帯型心電計１００をＰＣ４００に接続するために、携帯型心電計１００の装置本体１１０をクレードル３００に装着させた状態において、必ず遮蔽部によって携帯型心電計１００の外表面に設けられた電極が覆い隠されるようになる。その結果、万が一、ＰＣ４００の電源回路４５３の電源電圧がＰＣ４００の内部回路および接続ケーブル３３０を介して携帯型心電計１００の処理回路１５０にサージとなって混入した場合にも、ユーザが感電することが防止されるようになる。したがって、感電事故の発生を未然にかつ確実に防止することが可能になる。
【００４８】
また、携帯型心電計１００には特に感電防止用の構造を設ける必要がないので、携帯型心電計１００が大型化することによって携帯性が損なわれる心配もない。さらには、クレードル３００においても枠体３１０の形状を工夫するのみで感電対策が実現されるため、製造コストの大幅な増大を招くこともない。
【００４９】
上述の実施の形態においては、携帯型心電計から外部端末に対してのみ信号の出力が行なわれるように構成した場合を例示して説明を行なったが、双方向において信号の入出力が行なわれるように構成することも当然に可能である。また、接続される外部端末としては、ＰＣに限られるものではなく、プリンタや通信装置など、様々な端末が適用可能である。
【００５０】
また、上述の実施の形態においては、装置本体の外表面に測定電極および不関電極が設けられた携帯型心電計を例示して説明を行なったが、本発明の適用範囲は心電計に限られるものではなく、生体に接触させるための測定電極を有し、この測定電極にて検知される生体電気信号を処理することによって生体情報を得る生体情報測定装置であって、装置本体の外表面に測定電極を有するものであれば、どのようなものにも適用が可能である。生体情報測定装置としては、たとえば、筋電、脳波、生体インピーダンス（内部組織や皮膚のインピーダンス）等を測定する測定装置が考えられる。
【００５１】
また、上述の実施の形態においては、生体情報測定装置用接続ユニットとして載置台として機能するクレードルを採用した場合を例示したが、本発明は特にクレードルにその適用が限定されるものではない。たとえば、机等の載置面上に載置することを念頭においたものではなく、単に生体情報測定装置を覆うように取付けられるケース状の接続ユニットに適用することも可能であるし、生体情報測定装置の装置本体をそのまま受け入れる保持部を筐体の一部に備えた外部端末そのものに適用することも可能である。
【００５２】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００５３】
【図１】本発明の実施の形態において用いられる携帯型心電計の構成を示す概略斜視図である。
【図２】図１に示す携帯型心電計の正面図である。
【図３】図１に示す携帯型心電計において、開閉カバーを閉状態とした場合の上面図である。
【図４】図１に示す携帯型心電計の下面図である。
【図５】図１に示す携帯型心電計の右側面図である。
【図６】図１に示す携帯型心電計の左側面図である。
【図７】本発明の実施の形態において用いられる携帯型心電計を用いて心電波形を測定する際に被験者がとるべき計測姿勢を示した斜視図である。
【図８】本発明の実施の形態において用いられる携帯型心電計を用いて心電波形を測定する際に被験者がとるべき計測姿勢を上方から見た図である。
【図９】本発明の実施の形態において用いられる携帯型心電計の右手による把持状態を示す図である。
【図１０】本発明の実施の形態におけるクレードルの概略斜視図である。
【図１１】図１０に示すクレードルの正面図である。
【図１２】図１０に示すクレードルの上面図である。
【図１３】図１０に示すクレードルの右側面図である。
【図１４】本発明の実施の形態におけるクレードルに携帯型心電計を装着させる様子を示す概略斜視図である。
【図１５】本発明の実施の形態におけるクレードルに携帯型心電計を装着させた状態における正面図である。
【図１６】本発明の実施の形態におけるクレードルに携帯型心電計を装着させた状態における右側面図である。
【図１７】本発明の実施の形態におけるクレードルに携帯型心電計を装着させた状態における左側面図である。
【図１８】本実施の形態において用いられる携帯型心電計をＰＣに接続した状態を示すブロック図である。
【符号の説明】
【００５４】
１００  携帯型心電計、１１０  装置本体、１１１  正面、１１２  背面、１１３  上面、１１４  下面、１１４ａ  凹部、１１５  右側面、１１５ａ  凹部、１１６  左側面、１２１  負電極、１２２  正電極、１２３  不関電極、１３１  出力端子、１４１電源ボタン、１４２  測定ボタン、１４３  設定ボタン、１４４  表示ボタン、１４５  左スクロールボタン、１４６  右スクロールボタン、１４８  表示部、１５０  処理回路、１５１  アンプ回路、１５２  フィルタ回路、１５３  Ａ／Ｄコンバータ、１５４  ＣＰＵ、１５５  メモリ、２００  被験者、２１０  右手、２１１  親指、２１２  人指し指、２２０  前腕、２３０  上腕、２４０  右肩、２５０  胸部、３００  クレードル、３１０  枠体、３１１  前壁、３１１ａ  切り欠き部、３１２  後壁、３１４  底部、３１４ａ  凸部、３１５  右側壁、３１６  左側壁、３２０  保持部、３３０  接続ケーブル、３３１  接続端子、４００  ＰＣ、４５１  ＣＰＵ、４５２  メモリ、４５３  電源回路。
【図１】
2005211388.tif 000003
【図２】
2005211388.tif 000004
【図３】
2005211388.tif 000005
【図４】
2005211388.tif 000006
【図５】
2005211388.tif 000007
【図６】
2005211388.tif 000008
【図７】
2005211388.tif 000009
【図８】
2005211388.tif 000010
【図９】
2005211388.tif 000011
【図１０】
2005211388.tif 000012
【図１１】
2005211388.tif 000013
【図１２】
2005211388.tif 000014
【図１３】
2005211388.tif 000015
【図１４】
2005211388.tif 000016
【図１５】
2005211388.tif 000017
【図１６】
2005211388.tif 000018
【図１７】
2005211388.tif 000019
【図１８】
2005211388.tif 000020